【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
紙送りローラーと、
前記紙送りローラーに押し付けられる紙押えローラーと、
前記紙押えローラーを支持しているローラー支持部材と
前記ローラー支持部材を、揺動支点を中心として揺動可能な状態で支持している揺動支持部材と、
前記ローラー支持部材を介して前記紙押えローラーを前記紙送りローラーに向けて付勢する付勢部材とを有し、
前記ローラー支持部材における紙送り方向の下流側に前記紙押えローラーが紙幅方向に架け渡されており、
前記ローラー支持部材における紙送り方向の上流側が前記付勢部材の付勢位置であり、
当該付勢位置は前記紙幅方向に移動可能となっていることを特徴とするプリンターの紙送り機構。
【請求項２】
前記揺動支持部材は前記紙幅方向に延びている軸部材を備え、
前記ローラー支持部材は、前記紙幅方向の両側の部分に、前記軸部材の両側の軸端部を所定量だけ移動可能に支持する軸孔と、
前記紙幅方向のほぼ中央の部分に、前記揺動支点を備え、
前記軸部材は、前記揺動支点で係合し、前記軸孔に通されていることを特徴とする請求項１に記載のプリンターの紙送り機構。
【請求項３】
前記付勢部材はばね部材であり、
前記ローラー支持部材は前記ばね部材を掛けるばね掛け部を備えており、
当該ばね掛け部には、前記紙幅方向に沿ってばね掛け用の凹部あるいは凸部が複数個所に形成されていることを特徴とする請求項１または２に記載のプリンターの紙送り機構。
【請求項４】
前記紙押えローラーは、紙押えローラー軸と、この紙押えローラー軸上に取り付けられている複数個のローラー本体と、を備えており、
前記複数個のローラー本体は、前記紙押えローラー軸の軸線方向においてほぼ左右対称の位置に配置されていることを特徴とする請求項１ないし３のうちのいずれかの項に記載のプリンターの紙送り機構。
【請求項５】
前記紙押えローラーは少なくとも２個の前記ローラー本体を備え、
これらのローラー本体はほぼ同一幅のローラー外周面を備えており、
これらのローラー本体の間隔は、前記ローラー外周面の幅とほぼ同一であることを特徴とする請求項４に記載のプリンターの紙送り機構。
【請求項６】
前記紙送りローラーは、前記紙押えローラーが押え付けられた押し付け位置から、前記紙押えローラーに対して相対的に後退可能であり、
前記ローラー支持部材の揺動を規制する規制部材を有しており、
前記ローラー支持部材はその紙幅方向の両側部分に、前記規制部材に当接可能な当接部を備えており、
前記紙送りローラーが前記押し付け位置から相対的に後退すると、前記当接部が前記規制部材に当接することを特徴とする請求項１ないし５のうちのいずれかの項に記載のプリンターの紙送り機構。
【請求項７】
請求項１ないし６のうちのいずれかの項に記載の紙送り機構を備えていることを特徴とするプリンター。
【請求項８】
プリンター本体に形成したロール紙収納部と、
前記ロール紙収納部を開閉するために前記プリンター本体に取り付けた開閉蓋と、
請求項６に記載の紙送り機構とを有しており、
前記紙送り機構の前記紙送りローラーは前記開閉蓋に搭載されており、
前記紙送り機構の前記紙押えローラー、前記ローラー支持部材、前記揺動支持部材、前記付勢部材および前記規制部材は前記プリンター本体に搭載されており、
前記開閉蓋を閉じると前記紙送りローラーに前記紙押えローラーが押し付けられた状態が形成され、
前記開閉蓋を開けると、前記紙押えローラーから前記紙送りローラーが離れ、前記ローラー支持部材の前記当接部が前記規制部材に当接することを特徴とするプリンター。
【手続補正２】
【補正対象書類名】明細書
【補正対象項目名】０００８
【補正方法】変更
【補正の内容】
【０００８】
上記の課題を解決するために、本発明のプリンターの紙送り機構は、
紙送りローラーと、
前記紙送りローラーに押し付けられる紙押えローラーと、
前記紙押えローラーを支持しているローラー支持部材と
前記ローラー支持部材を揺動支点を中心として揺動可能な状態で支持している揺動支持部材と、
前記ローラー支持部材を介して前記紙押えローラーを前記紙送りローラーに向けて付勢する付勢部材とを有し、
前記ローラー支持部材における紙送り方向の下流側に前記紙押えローラーが紙幅方向に架け渡されており、
前記ローラー支持部材における紙送り方向の上流側が前記付勢部材の付勢位置であり、
当該付勢位置は前記紙幅方向に移動可能となっていることを特徴としている。
【手続補正３】
【補正対象書類名】明細書
【補正対象項目名】００１１
【補正方法】変更
【補正の内容】
【００１１】
ここで、前記揺動支持部材として、前記紙幅方向に延びている軸部材を備える場合には、
前記ローラー支持部材の前記紙幅方向の両側の部分に、前記軸部材の両側の軸端部を所定量だけ移動可能に支持する軸孔と、前記紙幅方向のほぼ中央の部分に、前記揺動支点を備え、前記軸部材を、前記揺動支点で係合し、前記軸孔に通しておけばよい。
【手続補正４】
【補正対象書類名】明細書
【補正対象項目名】００１２
【補正方法】変更
【補正の内容】
【００１２】
また、前記付勢部材としては、引張りコイルばねなどのばね部材を用いることができる。この場合には、前記ローラー支持部材に前記ばね部材を掛けるばね掛け部を形成し、当該ばね掛け部に、前記紙幅方向に沿ってばね掛け用の凹部あるいは凸部を複数個所に形成しておけばよい。
【手続補正５】
【補正対象書類名】明細書
【補正対象項目名】００１３
【補正方法】変更
【補正の内容】
【００１３】
次に、本発明の紙送り機構は、前記紙押えローラーが、紙押えローラー軸と、この紙押えローラー軸上に取り付けられている複数個のローラー本体とを備えており、前記複数個のローラー本体は、前記紙押えローラー軸の軸線方向においてほぼ左右対称の位置に配置されていることを特徴としている。
【手続補正６】
【補正対象書類名】明細書
【補正対象項目名】００１５
【補正方法】変更
【補正の内容】
【００１５】
ここで、前記紙押えローラーとしては、少なくとも２個の前記ローラー本体を備え、これらのローラー本体をほぼ同一幅のローラー外周面を備えたものとし、これらのローラー本体の間隔を、前記ローラー外周面の幅とほぼ同一にすることが望ましい。
【手続補正７】
【補正対象書類名】明細書
【補正対象項目名】００２１
【補正方法】変更
【補正の内容】
【００２１】
また、本発明の紙送り機構は特に開閉蓋を開くと記録紙搬送路が開放状態に切り替わるプリンターの紙送り機構として用いるのに適している。すなわち、本発明によるプリンターは、プリンター本体に形成したロール紙収納部と、前記ロール紙収納部を開閉するための前記プリンター本体に取り付けた開閉蓋と、上記構成の紙送り機構とを有しており、前記紙送り機構の前記紙送りローラーは前記開閉蓋に搭載されており、前記紙送り機構の前記紙押えローラー、前記ローラー支持部材、前記揺動支持部材、前記付勢部材および前記規制部材は前記プリンター本体に搭載されており、前記開閉蓋を閉じると前記紙送りローラーに前記紙押えローラーが押しつけられた状態が形成され、前記開閉蓋を開けると、前記紙押えローラーから前記紙送りローラーが離れ、前記ローラー支持部材の前記当接部が前記規制部材に当接することを特徴としている。前記当接部が前記規制部材に当接することにより、前記ローラー支持部材の揺動が規制される。
【手続補正８】
【補正対象書類名】明細書
【補正対象項目名】００２２
【補正方法】変更
【補正の内容】
【００２２】
本発明の紙送り機構では、紙押えローラーが、揺動支持部材によって揺動支点を中心として前後左右に揺動可能なローラー支持部材によって支持されている。また、付勢部材によるローラー支持部材の付勢位置をその左右方向に移動できるようになっている。揺動支点を中心とする自動調芯作用と、付勢部材の付勢位置の調整とによって、紙送りローラーと紙押えローラーによる記録紙の紙送り力を、記録紙の幅方向の左右において均衡させることができ、これによって、記録紙の蛇行、斜行、紙詰まりを防止できる。